【事件の表示】
　特許第３０２７６３６号「パチンコ機」の請求項１に係る特許に対する特許異議の申立てについて、次のとおり決定する。
【結　論】
訂正を認める。
特許第３０２７６３６号の請求項１に係る特許を維持する。
【理　由】
１．手続の経緯
　特許第３０２７６３６号の請求項１に係る発明（以下、「本件請求項１に係る発明」という。）は、平成３年１０月１４日の出願であって、平成１２年１月２８日にその発明についての特許権の設定登録がなされ、その後、その特許について、異議申立人河井清悦より特許異議の申立てがなされ、取消しの理由が通知され、これに対して、その指定期間内である平成１３年９月１７日に特許異議意見書と共に訂正請求書が提出されたものである。
２．訂正の適否についての判断
２−1．訂正の内容
　訂正の内容は、下記の（ａ）ないし（ｃ）のとおりである。
（ａ）特許明細書の特許請求の範囲の請求項１を「【請求項１】裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の流路に連設され、この流路を略垂直方向へと向けながら排出ユニットの流路に接続する流路変換部材と、流路変換部材の排出ユニットに対する接続部分に位置して排出ユニットの着脱に応じて流路を開閉するシャッタ手段とを備えたパチンコ機において、前記流路変換部材の下端部には、排出ユニットを分離する際にパチンコ球が障害とならないように半円状の切欠部が形成され、前記シャッタ手段は、前記接続部分にて流路を横断する平面上で排出ユニットの取付方向へ摺動自由な平板部材と、平板部材を閉じ位置に付勢する弾性部材と、排出ユニットとの接続時に排出ユニット側から平板部材を弾性部材の付勢力に抗して開き位置に押し込む係止部材とを備えたことを特徴とするパチンコ機。」と訂正する。
（ｂ）特許明細書の段落【０００７】の記載を「【０００７】【課題を解決するための手段】そのため、この発明は、裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の流路に連設され、この流路を略垂直方向へと向けながら排出ユニットの流路に接続する流路変換部材と、流路変換部材の排出ユニットに対する接続部分に位置して排出ユニットの着脱に応じて流路を開閉するシャッタ手段とを備えたパチンコ機において、前記流路変換部材の下端部には、排出ユニットを分離する際にパチンコ球が障害とならないように半円状の切欠部が形成され、前記シャッタ手段は、前記接続部分にて流路を横断する平面上で排出ユニットの取付方向へ摺動自由な平板部材と、平板部材を閉じ位置に付勢する弾性部材と、排出ユニットとの接続時に排出ユニット側から平板部材を弾性部材の付勢力に抗して開き位置に押し込む係止部材とを備えた。」と訂正する。
（ｃ）特許明細書の段落【００６９】の記載を「【００６９】【発明の効果】以上の通りこの発明によれば、裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の流路に連設され、この流路を略垂直方向へと向けながら排出ユニットの流路に接続する流路変換部材と、流路変換部材の排出ユニットに対する接続部分に位置して排出ユニットの着脱に応じて流路を開閉するシャッタ手段とを備えたパチンコ機において、前記流路変換部材の下端部には、排出ユニットを分離する際にパチンコ球が障害とならないように半円状の切欠部が形成され、前記シャッタ手段は、前記接続部分にて流路を横断する平面上で排出ユニットの取付方向へ摺動自由な平板部材と、平板部材を閉じ位置に付勢する弾性部材と、排出ユニットとの接続時に排出ユニット側から平板部材を弾性部材の付勢力に抗して開き位置に押し込む係止部材とを備えたので、排出ユニットの裏機構盤に対する着脱を単に容易に行えるばかりでなく、外す前の球抜きなども必要なくなるため、排出ユニットの保守点検などを能率良く短時間に処理することができる。」と訂正する。
２−2．訂正の目的の適否、新規事項の有無及び拡張・変更の存否
　訂正事項（ａ）は、特許明細書の請求項１に記載された「流路変換部材」に「流路変換部材の下端部には、排出ユニットを分離する際にパチンコ球が障害とならないように半円状の切欠部が形成され、」という事項を付加し、下位のものに限定するものであるから、特許請求の範囲の減縮を目的とするものである。そして、この訂正事項は、願書に添付した明細書の段落【００２９】の「そして、シャッタ６８は排出ユニット２３との分離時に蛇行路５８内を連続するパチンコ球があればこれを押し分けるように閉じ作動するが、その際パチンコ球の間へスムーズに挿入しやすくするため、段付き形状の先端に刃のような傾斜面が形成される。また、両蛇行路５８の下端部には排出ユニット２３を分離する際にシャッタ６８下方で排出ユニット２３との間に位置するパチンコ球が障害とならないように半円状の切欠部７４が形成される。」の記載に基づくものである。
　また、訂正事項（ｂ）、（ｃ）は、上記訂正事項（ａ）により請求項１に係る発明が訂正されたことに伴い、発明の詳細な説明の記載を請求項１に係る発明と一致させるための訂正であり、明りようでない記載の釈明を目的とするものといえ、願書に添付した明細書に記載した事項の範囲内の訂正である。
　そして、訂正事項（ａ）〜（ｃ）のいずれも、実質上特許請求の範囲を拡張し又は変更するものとはいえない。
２−3．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項の規定に適合するので、当該訂正を認める。
３．特許異議の申立てについて
３−1．異議申立ての理由の概要
　異議申立人は、甲第１号証（特開平３−８５１９０号公報）を提示して、本件請求項１に係る発明は、甲第１号証に記載された発明であり、特許法第２９条第１項第３号に規定する発明に該当し、さらに、甲第２号証（特開昭５４−５４７４３号公報）、甲第３号証（特開昭６２−１８１０７８号公報）、甲第４号証（実願昭５７−１０７４１９号(実開昭５９−１１７８４号)のマイクロフィルム））を提示して、本件請求項１に係る発明は、甲第１号証及び甲第２号証に記載された発明に基いて当業者が容易に発明をすることができたものであるから、特許法第２９条第２項の規定により特許を受けることができない発明であって、本件請求項１に係る発明の特許は取り消されるべき旨主張している。
３−2．本件請求項１に係る発明
　上記２．訂正の適否についての判断で示したように上記訂正が認められるから、本件請求項１に係る発明は、訂正明細書及び図面の記載からみて、その特許請求の範囲の請求項１(前記２−１．請求の内容（ａ）参照）に記載された事項により特定されるものである。
３−3．甲号各証の記載事項
（ａ）甲第１号証には、
（ａ−1）「本発明はパチンコ機の景品球放出ユニットに係り、入賞球の発生により上下方向に移動する作動杆を連結した上下動板の上動と共に一定数の景品球放出する景品球放出機構をユニットケースの内部でユニット化し、該ユニットケースをパチンコ機裏面に取付ける構成にしたものである。」（１頁右欄７〜１２行）、
（ａ−２）「しかしながらこの場合移動しない上方装置板の誘導樋または該樋に連結した樋体と、移動を可能にした下方装置板の景品球放出機構との連結及び連結解放を具体的にどうするかに問題点がある。本発明は前記の誘導樋又は該樋下流端の樋体形の案内板と連結したり連結を外したりする可動連結片の取付けを、景品球放出機構のケースに求めることを問題点解決の課題の糸口とし、この課題を解決することを本発明の目的とするものであるが、装置板が上方と下方とに分離されなくても、本発明は後に述べる理由により有効になる。」（第２頁右上欄第７行〜左下欄第３行）、
（ａ−３）「添付図面は本発明の実施例を示し、第１図はパチンコ機裏面全体の裏面図、第２図は景品球放出ユニットの取付前のパチンコ裏面の一部の斜視図、第３図は同取付け状態のパチンコ機機裏全体の斜視図、第４図は案内板１０とユニットケ一ス２１の一部の一部切欠斜視図、第５図は案内板１０の一部を下方から見た斜視図、第６、７図は案内板１０の下面図、第８図は本発明ユニットの一部切欠斜視図である。」（第２頁右下欄第１０行〜第３頁左上欄第３行）、
（ａ−４）「上方装置板４は前記のように転球板１の裏面に固定するもので、球タンク７及び球誘導樋８を取付け、球誘導樋８の下流端に案内板１０を垂直状に固定する。該案内板１０は本発明の上流の樋材の一例をなすもので、上方側部に球誘導樋８の誘導溝９に連通する入口孔１１を設け、下端に出口孔１２を設け、該下端の左右両側にガイド１３、１４を対立させて設けると共に、それらのガイド１３、１４に左右両側を嵌めて前後方向への移動を可能にした玉切板１５を設け、その玉切板１５に後方への押出ばね１７を掛け、玉切板１５を押出ばね１７の弾力に抗して前方に押込むと案内板１０の出口孔１２に整合する玉切溝１６を玉切板１５に設け、玉切板１５の上側に側方を向いたばね性のＣ形断面の第１係止片１８を設け、玉切板１５の上側に後方を向いたばね性のＣ形断面の第２係止片１９を設ける。２１は本発明の景品球放出ユニット２０のユニットケースであって、適当な位置に裏面から表面（転球板１の裏面）に通る筒形取付孔２２を設け、ケース２１の上面に上流の樋材の一例をなす案内板１０の出口孔１２に整合する玉入口２３を形成した景品球通路２４を設ける。．．．ケース２１の上側に、案内板１０の第１係止片１８を弾拡して嵌まる円形材３０を設けた第１可動連結片２９と、案内板１０の第２係止片１９を弾拡して嵌まる円形材３２を設けた第２可動連結片３１とを、第１可動連結片２９は側方に、第２可動連結片３１は後方に夫々がほぼ水平に倒れるように軸支してなり、殊に第２可動連結片３１は円形材３２を第２係止片１９に嵌込む連結のとき、玉切板１５を該第２可動連結片３１の押圧面３３により押出ばね１７の弾力に逆らって押込み、出口孔１２、玉切溝１６及び玉入口２３を合致させて球誘導樋８の誘導溝９の球をケース２１内の景品球通路２４に流れ込ませる。景品球通路２４の下端にケース２１に設けた軸３４により軸支されると共に同じようにケースに設けた軸３５により支持したＬ形レバー３８のピン３９を円弧形の背３７に接触する可動ストッパ部材３６を設け、該通路２４の球が流下できないように閉鎖する。」（３頁左上欄１２行〜右下欄１１行）、    
（ａ−５）「ケース２１の内部には発生したセーフ球により上動移動する作動杵７３の連結孔５８を設けると共に上下方向の長孔５１に、ケース２１に設けた固定案内ビン５９を遊嵌した上下動板５０を設け、上下動板５０の左右方向の長孔５４に、前記したＬ形レバー３８のピン４０を嵌め、セーフ球の発生毎に作動杆７３と上下動板５０の上昇、Ｌ形レバー３８の反時計方向への揺動を生じ、ピン３９が反時計方向に移動して円弧形の背３７から外れ、可動ストツパ部材３６が景品球通路２４の球の重みにより押されて通路２４を解放し、該通路２４の景品球を景品球放出溝７１に放流する。」（第４頁左上欄１１行〜右上欄７行）、
（ａ−６）「本発明の景品球放出ユニット２０は上方に上流樋体の一例をなす案内板１０を取付け、下方に景品球放出溝７１、球抜き溝７２を取付けたパチンコ機転球板の裏面の第２図の取付け空所の嵌込筒２２ａにユニットケース２１の筒形取付孔２２を嵌め、案内板１０の出口孔１２とユニットケース２１の球入口２３との整合及びユニットケース２１の景品球通路２４と景品球放出溝７１及び球抜き溝７２との整合を確認し、筒形取付孔２２の夫々にビス又はボルトの類７６を挿入して取付けを行い、その取付後に第２可動連結片３１の円形材３２を案内板１０の第２係止片１９に、第１可動連結片２９の円形材３０を案内板１０の第１係止片１８に夫々嵌込んでユニットケース２１を案内板１０に連結し、さらにユニットケース２１より下方に設置してある入賞球感知装置とユニットケース２１の内部の上下動板５０に設けた連結孔５８に作動杆７３を差込む。本発明は上方装置板と下方装置板とに分離して成形し、球タンク、誘導樋、案内板１０等の上流樋体を上方装置板４に設け、景品球放出溝、球抜き溝、景品球放出機構等を下方装置板５に設置する構成に尤も適するが、装置板を分離成形しないときでも景品機構放出機構の上流に上流樋体を設置するのは普通であるから、景品球放出ユニット２０をユニットケース２１の内部に構成して、そのケースの取付けを行うことができ、取り扱いが容易であると共に部品紛失がないようにしてあるから、取付けその他について極く有利な効果を持つ。」（４頁左下欄２行〜第５ページ左上欄１行）と記載されている。
（ｂ）甲第２号証には、
（ｂ−1）「本発明の目的は、開閉部材の閉鎖時には、賞球供給部材の出口と開閉部材の入口とを連通接続し、開閉部材の開放時には賞球供給部材の出口を遮断閉鎖して賞球のこぼれ落ちを未然に防止することができるパチンコ機を提供することである。」（１頁右欄７〜１１行）、
（ｂ−2）「上セット（２）側において、左上部には賞球用の球タンク（図示しない）の賞球を流下するタンクレール（１８）がビス着されている。これに対して右側部には、上セット（３）の蓋板部に対して仕切板（１９Ａ）及びカバー樋板（１９Ｂ）をビス着したもとで、ほぼ横Ｕの字状の、賞球用の第１、第２のカーブレール樋（１９）（１９）が前、後２列に区画形成されてその各入口が球タンクレール（１８）の各給出路（１８ａ）（１８ｂ）の出口と連通されている。」（２頁左下欄８〜１６行）、
（ｂ−3）「（３１）は前述の枠体（１′）の第２窓（１０）に対する扉兼用として開閉並びに着脱可能に装着されたメインセットである。．．．上述のメインセット（３１）は、セーフ球に対する賞球を給出するための賞球給出装置の基本をなすもので、該装置を構成すべく、上端部には後述の賞球ケース用の設置凹部（３９）が開□され、左下部にはセーフ球用の整理室（４０）が区画形成されており、そして中央部には賞球樋（４６）（４６）が、また右側部には球抜き樋（５２）（５２）が夫々形成されている。」（３頁左上欄９行〜左下欄３行）、
（ｂ−4）「前述のメインセット（３１）の開放時に、前記カーブレール樋（１９）（１９）内の球（Ｂ）のこぼれ落ち防止用の球流出防止機構（８８）について説明する。すなわち、第１図のように前記上セット（２）前面の右下部に装着された球止め部材（８９）は、正面ほぼＺ字状に形成されており、その右端の上下面に突設された各軸部（９０）（９０）を上セット（２）前面に突設された上下一対の軸受（９１）（９１）間に挿入したもとで、水平片持ち状態で旋回動可能に枢着されている。この球止め部材（８９）は、第７図のようにその後側面中央部に突設された円形の嵌着部（９２）と、該嵌着部（９２）に対向する上セット（２）前面に突設された嵌着部（９３）との間に介在されたコイル状の押圧ばね（９４）の附勢力にて、常には図示Ｐ矢印方向へ押圧附勢されている。そして、この球止め部材（８９）は、第９図のように、その左端部が水平板状に形成され、この平板部（９６）の先端部が、前記上セット（２）のカーブレール樋（１９）（１９）の各出口（１９ａ）（１９ｂ）に対して旋回動に伴ない出没開閉可能に指向されている。そして、この平板部（９６）の先端部に、平面形状が凹円弧状の第１、第２連通溝（９６）（９７）がカーブレール樋（１９）（１９）に対応して前、後２列に形成されるとともに、第１、第２の連通溝（９６）（９７）との境界部に先尖り状の第２球止め片（９９）が、さらに第２連通溝（９７）の後側部に同様な第１球止め片（９８）が夫々形成されている。（１００）は前記平板部（９６）の後側面に逆Ｌ宇状に突設された係止部で、その垂下部に、係止片（１０１）が形成されてメインセット（３１）における前記賞球ケース（５３）の後セット板（５３Ａ）上縁に係合される。これにより、球止め部材（８９）はメインセット（３１）の閉鎖時に対する作動前の常態としてその第１、第２連通溝（９６）（９７）がカーブレール樋（１９）（１９）の各出口（１９ａ）（１９ｂ）に整合連通されて樋内を開口し、各カーブレール樋（１９）（１９）内の球（Ｂ）を前記賞球ケース（５３）の各収納樋（５４）（５５）内に流出し得る開放状態とされている。」（５頁右上欄４行〜右下欄６行）、
（ｂ−5）「メインセット（３１）の開閉にあたってこれに連動される球流出防止機構（８８）について説明する。すなわち、メインセット（３１）の開放時には、第９図（ａ）のように球止め部材（８９）は、押圧ばね（９４）の附勢力にてただちに図示Ｐ矢印方向へ旋回動され、同部材（８９）のストッパー面（１０２）がカバー樋板（１９Ｂ）の内壁面に当接してその位置で保持される。この部材（８９）の回動に伴い第１、第２の球止め片（９８）（９９）が前記各カーブレール樋（１９）（１９）の出口（１９ａ）（１９ｂ）内の中央部に突入移動され、各出口（１９ａ）（１９ｂ）内を閉鎖して樋内の球（Ｂ）の流出、さらにはこぼれ落ちを良好に阻止する。次に、メインセット（３１）の閉鎖時には、該メインセット（３１）の閉鎖過程において、閉鎖直前位置で、第９図（ｂ）のように賞球ケース（５３）の後セット板（５３Ａ）上端部が球止め部材（８９）の係止片（１０１）に当接係合する。そしてしかる後球止め部材（８９）はメインセット（３１）の閉鎖に伴い押圧ばね（９４）の附勢力に抗しながら図示Ｑ矢印方向へ旋回動される。そして、メインセット（３１）の定位置への閉鎖セット完了後には、球止め部材（８９）は元状態に復帰されこれに伴ない、各球止め片（９８）（９９）がカーブレール樋（１９）（１９）の各出口（１９ａ）（１９ｂ）外に退動される一方、各連通溝（９６）（９７）が出口（１９ａ）（１９ｂ）内の球（Ｂ）の流出開口面と整合連通されて出口（１９ａ）（１９ｂ）を開口し、各収納樋（５４）（５５）側と連通状態とする。これにより樋内の球が各収納樋（５４）（５５）内に流出し得る状態とされるものである。このように、本例での球流出防止機構（８８）は、メインセット（３１）の開閉に伴い連動される球止め部材（８９）の開閉動作によってカーブレール樋（１９）（１９）内の球（Ｂ）の流出と遮断とをなし得るものである。」（７頁右上欄１行〜左下欄１５行）、
（ｂ−６）「本発明のパチンコ機において、開閉部材の閉鎖時には、賞球供給部材の賞球出口に対し、球止め部材を開放状態で保持することにより、前記出口と開閉部材の賞球用入口とを連通接続することができ、またケースを開放した時には、前記球止め部材にて前記出口を遮断閉鎖することができるので、賞球供給源側の賞球用樋内に賞球が有る時に、前記開閉部材を開放しても、賞球供給部材内の賞球が不用意にこぼれ落ちることがない。」（８頁右上欄１〜９行）と記載されている。
（ｃ）甲第３号証には、
（ｃ−1）「パチンコ球排出装置用収納部１０の上方には、補給樋６３から流下するパチンコ球をパチンコ球排出装置２８に供給・停止させるシャッタ装置を設ける。このシャッタ装置は、補給樋６３から分岐した球補給路の下端出口、即ち第８図に示すように球通過検出用のパルス発生装置５６の孔５７から流出する球を貯留タンク２９に導く孔５８が設けられ、この孔５８は前後に移動自在で、且つ付勢部材としてのばね５９で常時前方に索引されたシャッタ部材６０で塞ぐ構成である。なお、シャッタ部材６０には孔６１が孔５７、５８と一致しない部分に設けられている。したがって、パチンコ球排出装置用収納部１０内にパチンコ球排出装置２８を装入しない状態においては、シャッタ部材６０がばね５９の付勢により前進し、孔５７を塞いでいる。この状態でパチンコ球排出装置用収納部１０内にパチンコ球排出装置２８を差し込むと、収納本体３０の上後端或は貯留タンク２９の上後端がシャッタ部材６０の舌片状の受部６２を押圧し、シャッタ部材６０をばね５９の付勢に抗して後退させる。シャッタ部材６０が後退すると孔６１が孔５７，５８に一致するので、補給樋６３から分岐したシュート６４、蛇腹管６５などの球補給路がパチンコ球排出装置２８側の球流路、或は貯留タンク２９に連通する。したがって、補給樋６３からシュート６４等を介して貯留タンク２９内に球が補給可能となる。」（４頁右上欄１２行〜左下欄１９行）、
（ｃ−2）「一方、収納本体３０をパチンコ球排出装置用収納部１０から引き出すと、コイン樋４９の出口がコイン排出樋４９１の入口から離脱するとともに、シャッタ部材６０がばね５９の付勢により戻り移動して孔５７，５８を塞ぎ、球供給路からの球を落下させない。したがって、パチンコ球排出装置２８の修理や交換の際に、収納本体３０をパチンコ球排出装置用収納部１０から簡単に取り外すことができ、このとき補給樋６３、シュート６４蛇腹管６５等の球補給路に球が充満していても、これらの球が流出して散乱するおそれがない。」（４頁右下欄６〜１７行）と記載されている。
（ｄ）甲第４号証には、
（ｄ−1）「固定板（Ａ）に対し、玉計数器（Ｂ）を装着するには、第４図、第３図に示すように玉計数器（Ｂ）の支板（１８）の上辺縁の隅角部を、固定板（Ａ）に突設した袋形打抜き突片（１５），（１５）′内を上昇させ、下辺縁の隅角部が袋形打抜き突片（１６），（１６）′を越えたところで下降させることにより、支板（１８）を固定板（Ａ）の袋形打抜き突片（１５），（１５）′；（１６），（１６）′中に係止する。このとき、玉計数器（Ｂ）の玉管路部（Ｃ）は、その上端の円筒部（１９）が、保持具（ａ）の案内突片（９），（９）′に案内される状態になって、案内突片（９），（９）′は円筒部（１９）に内接して納まり、コイルばね可撓管（１）と玉管路部（Ｃ）との軸線は一致し、コイルばね可撓管（１）の内壁、案内突片（９），（９）′の内面、玉管路部（Ｃ）の角筒部（２０）の内壁は同一面となり、玉の流下に支障のない流路が形成される。一方、玉管路部（ｃ）の上昇にて、その上方円筒部（１９）の辺縁（２８）が、固定板（Ａ）に設けられた流下玉の阻止具（ｂ）の進出していた阻止片（１３）を、その傾斜面（１４）により後退させ、阻止片（１８）の先端部を玉管路部（ｃ）の円筒部（１９）の外面に当接させる。このような状態において使用中に、玉計数器（Ｂ）を、それの故障、あるいは交換、その他で固定板（Ａ）から取外す必要が生じた場合、玉計数器（Ｂ）の支板（１８）を上昇させると、支板（１８）の下辺縁の隅角部が、固定板（Ａ）の袋形打抜き突片（１６），（１６）′より脱出するので、支板（１３）を引き下げれば外ずれる。この場合スプリング（１２）にて弾発されている阻止片（１９）は、玉管路部（ｃ）の上端の円筒部（１９）が、保持具（ａ）の案内突片（９），（９）′より外れると同時に、案内突片（９）の割溝（１０）を通ってコイルばね可撓管（１）の下端下方に進出し、流下する玉を阻止する。」（第５頁１８行〜第７頁８行）と記載されている。
３−4．対比・判断 
　甲第１号証には、前記３−3（ａ）に摘記した事項及び図２、図３、図５ないし図８からみて「上方装置板４に取り付けられ球タンク７からの球を整流しながら流下させる下り傾斜の球誘導樋８と、転球板１に着脱可能に設けられ、セーフ球の発生毎に球タンク７側から供給される景品球を景品球放出溝７１に放流する景品球放出ユニット２０と、球誘導樋８の下流端に垂直状に固定され、球誘導樋の流路を略垂直方向へと向けながら景品球放出ユニット２０の流路に接続する案内板１０と、案内板１０と景品球放出ユニット２０の連結のとき、球誘導樋８の誘導溝９の球を景品球放出ユニット２０に流れ込ませる案内板１０の下端に設けられた玉切板１５，押出ばね１７，第２可動連結片３１等とを備えたパチンコ機において、玉切板１５，押出ばね１７，第２可動連結片３１等は、案内板１０と景品球放出ユニット２０の連結部分にて出口孔１２を横断する平面上で景品球放出ユニット２０の取付方向（転球板１に垂直な方向）へ摺動自由な玉切板１５と、玉切板１５を閉じ位置に付勢する押出ばね１７と、景品球放出ユニット２０との接続時に景品球放出ユニット２０側から玉切板１５を押出ばね１７の弾力に逆らって押し込む第２可動連結片３１とを備えたパチンコ機の景品放出ユニット」の発明（以下、「甲第１号証記載の発明」という）が記載されているものと認められる。
　本件請求項１に係る発明と甲第１号証記載の発明とを対比すると、
　甲第１号証記載の発明の「上方装置板４」、「球タンク７」、「球誘導樋８」、「転球板１」、「景品球放出溝７１」、「景品球放出ユニット２０」、「案内板１０」、「玉切板１５，押出ばね１７、第２可動連結片３１」、「玉切板１５」、「押出ばね１７」、「第２可動連結片３１」が、本件請求項１に係る発明の「裏機構盤上方側」、「貯留タンク」、「誘導樋」、「裏機構盤」、「遊技者側」、「排出ユニット」、「流路変換部材」、「シャツタ手段」、「平板部材」、「弾性部材」、「係止部材」に相当するから、
　両者は、「裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の流路に連設され、この流路を略垂直方向へと向けながら排出ユニットの流路に接続する流路変換部材と、流路変換部材の排出ユニットに対する接続部分に位置して排出ユニットの着脱に応じて流路を開閉するシャッタ手段とを備えたパチンコ機において、前記シャッタ手段は、前記接続部分にて流路を横断する平面上で排出ユニットの取付方向へ摺動自由な平板部材と、平板部材を閉じ位置に付勢する弾性部材と、排出ユニットとの接続時に排出ユニット側から平板部材を弾性部材の付勢力に抗して開き位置に押し込む係止部材とを備えたことを特徴とするパチンコ機。」である点で一致し、
　本件請求項１に係る発明は、流路変換部材の下端部には、排出ユニットを分離する際にパチンコ球が障害とならないように半円状の切欠部が形成されているのに対して、甲第１号証記載の発明は、そのような構造を具備していない点で相違している。
　そこで、上記相違点について検討するために甲第２号証をみるに、甲第２号証には、排出ユニット（メインセット３１が相当）の流路に接続する流路変換部材（カーブレール樋１９が相当）と、流路変換部材の排出ユニットに対する接続部分に位置して排出ユニットの着脱に応じて、流路を開閉するシャッタ手段（球流出防止機構８８が相当）については記載されているが、流路変換部材の下端部に半円状の切欠部を形成する点については記載も示唆もされていない。
　また、甲第３号証には、補給樋６３から流下するパチンコ球をパチンコ球排出装置２８に供給・停止させるシャッタ装置を設けた点が、甲第４号証には、玉計数器の着脱操作による補給玉の流下阻止について記載されているが、甲第３，４号証いずれにも上記相違点における本件請求項１に係る発明の構成、すなわち、流路変換部材の下端部に、半円状の切欠部を形成する構成は記載も示唆もされていない。
　そして、本件請求項１に係る発明は、上記相違点に係る構成により、明細書記載の排出ユニットを分離する際にシャッタ下方で排出ユニットとの間に位置するパチンコ球が障害となることがないという甲第１号証〜甲第４号証記載の発明からは期待できない作用効果を奏するものと認められる。
　したがって、本件請求項１に係る発明は、甲第１号証に記載された発明と同一であるとも、甲第１号証ないし甲第４号証に記載された発明に基いて当業者が容易に発明をすることができたものともいえない。
３−5．むすび
　以上のとおりであるから、特許異議の申立ての理由及び証拠方法によっては、本件請求項１に係る発明についての特許を取り消すことはできない。
　また、他に本件請求項１に係る発明についての特許を取り消すべき理由を発見しない。
　したがって、本件請求項１に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、
　結論のとおり決定する。                   
【異議決定日】
平成１４年１月２４日（２００２．１．２４）
【訂正の要旨】
２−１．訂正の要旨
　訂正事項１
特許明細書の特許請求の範囲の請求項１を、特許請求の範囲の減縮を目的として「【請求項１】裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の流路に連設され、この流路を略垂直方向へと向けながら排出ユニットの流路に接続する流路変換部材と、流路変換部材の排出ユニットに対する接続部分に位置して排出ユニットの着脱に応じて流路を開閉するシャッタ手段とを備えたパチンコ機において、前記流路変換部材の下端部には、排出ユニットを分離する際にパチンコ球が障害とならないように半円状の切欠部が形成され、前記シャッタ手段は、前記接続部分にて流路を横断する平面上で排出ユニットの取付方向へ摺動自由な平板部材と、平板部材を閉じ位置に付勢する弾性部材と、排出ユニットとの接続時に排出ユニット側から平板部材を弾性部材の付勢力に抗して開き位置に押し込む係止部材とを備えたことを特徴とするパチンコ機。」と訂正する。
訂正事項２
特許明細書の段落【０００７】の記載を、明りょうでない記載の釈明を目的として「【０００７】【課題を解決するための手段】そのため、この発明は、裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の流路に連設され、この流路を略垂直方向へと向けながら排出ユニットの流路に接続する流路変換部材と、流路変換部材の排出ユニットに対する接続部分に位置して排出ユニットの着脱に応じて流路を開閉するシャッタ手段とを備えたパチンコ機において、前記流路変換部材の下端部には、排出ユニットを分離する際にパチンコ球が障害とならないように半円状の切欠部が形成され、前記シャッタ手段は、前記接続部分にて流路を横断する平面上で排出ユニットの取付方向へ摺動自由な平板部材と、平板部材を閉じ位置に付勢する弾性部材と、排出ユニットとの接続時に排出ユニット側から平板部材を弾性部材の付勢力に抗して開き位置に押し込む係止部材とを備えた。」と訂正する。
訂正事項３
特許明細書の段落【００６９】の記載を、明りょうでない記載の釈明を目的として「【００６９】【発明の効果】以上の通りこの発明によれば、裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の流路に連設され、この流路を略垂直方向へと向けながら排出ユニットの流路に接続する流路変換部材と、流路変換部材の排出ユニットに対する接続部分に位置して排出ユニットの着脱に応じて流路を開閉するシャッタ手段とを備えたパチンコ機において、前記流路変換部材の下端部には、排出ユニットを分離する際にパチンコ球が障害とならないように半円状の切欠部が形成され、前記シャッタ手段は、前記接続部分にて流路を横断する平面上で排出ユニットの取付方向へ摺動自由な平板部材と、平板部材を閉じ位置に付勢する弾性部材と、排出ユニットとの接続時に排出ユニット側から平板部材を弾性部材の付勢力に抗して開き位置に押し込む係止部材とを備えたので、排出ユニットの裏機構盤に対する着脱を単に容易に行えるばかりでなく、外す前の球抜きなども必要なくなるため、排出ユニットの保守点検などを能率良く短時間に処理することができる。」と訂正する。
（５４）【発明の名称】
パチンコ機
（５７）【特許請求の範囲】
　【請求項１】
　裏機構盤上方側に設けた貯留タンクからのパチンコ球を整流しながら流下させる下り傾斜の誘導樋と、
　裏機構盤に着脱可能に設けられ、貯留タンク側から供給されるパチンコ球を遊技者側へ所定数排出する排出ユニットと、
　誘導樋の流路に連設され、この流路を略垂直方向へと向けながら排出ユニットの流路に接続する流路変換部材と、
　流路変換部材の排出ユニットに対する接続部分に位置して排出ユニットの着脱に応じて流路を開閉するシャッタ手段とを備えたパチンコ機において、
　前記流路変換部材の下端部には、排出ユニットを分離する際にパチンコ球が障害とならないように半円状の切欠部が形成され、
　前記シャッタ手段は、前記接続部分にて流路を横断する平面上で排出ユニットの取付方向へ摺動自由な平板部材と、平板部材を閉じ位置に付勢する弾性部材と、排出ユニットとの接続時に排出ユニット側から平板部材を弾性部材の付勢力に抗して開き位置に押し込む係止部材とを備えたことを特徴とするパチンコ機。
【発明の詳細な説明】
　【０００１】
　【産業上の利用分野】
　この発明はパチンコ機に関する。
　【０００２】
　【従来の技術】
　パチンコ機の裏面側の構成としては、機の裏機構盤に貯留タンクからのパチンコ球を整流しながら流下させる緩やかな下り傾斜の誘導樋と、そのパチンコ球を機前面側（遊技者側）の供給皿および受け皿へ所定数排出する排出ユニットが設けられ、賞球などの排出要求の発生時にこの排出ユニットを作動させることでその要求数に応じたパチンコ球を遊技者側に排出するようにしたものがよく知られている。
　このように所定数のパチンコ球を排出する排出ユニットの排出機構は、駆動源にソレノイドやモータ等を使用し、実際にパチンコ球の流下を規制あるいは許容する機構としてカムやスプロケット等が使用されている。
　【０００３】
　【発明が解決しようとする課題】
　このように所定数のパチンコ球を排出する排出ユニットは、入賞に伴う賞球を遊技者側に排出するたびに頻繁に作動するので、構成部品の摩耗や駆動部の劣化が早く、パチンコ機の他の部分に比べて頻繁に交換する必要がある。
　【０００４】
　そこで、排出ユニットの保守点検及び交換を容易に行えるように排出ユニットを裏機構盤に対して着脱可能にしたものが好ましいが、この場合、排出ユニットを取り外す前に排出ユニット上流から貯留タンクの内部に残るパチンコ球の脱落飛散を回避するため、貯留タンク内の球を排出（球抜き）させなければならず、これでは、球抜き作業に煩わされてせっかくのユニット化も十分な効果が得られない。
　【０００５】
　なお、従来のパチンコ機においても誘導樋の下流部に球止めが設けられてはいるが、この球止めによりパチンコ球の流下を阻止したとしても、球止め下流つまり誘導樋を垂直方向へ案内する流路変換部から排出ユニットに至る部分に球が残ってしまうため、これらの球を脱落飛散させないように注意しながらユニットを外すか、あるいは外す前に球抜きを行うことが必要となる。
　【０００６】
　この発明はこのような問題点を簡単な対策手段により解決することを目的とする。
　【０００７】
　【課題を解決するための手段】
　そのため、この発明は、裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の流路に連設され、この流路を略垂直方向へと向けながら排出ユニットの流路に接続する流路変換部材と、流路変換部材の排出ユニットに対する接続部分に位置して排出ユニットの着脱に応じて流路を開閉するシャッタ手段とを備えたパチンコ機において、
前記流路変換部材の下端部には、排出ユニットを分離する際にパチンコ球が障害とならないように半円状の切欠部が形成され、
　【０００８】
　【作用】
　排出ユニットの保守点検時などの際には排出ユニットを裏機構盤から外すと、これに伴ってシャッタ手段が閉じる。これにより、流路変換部材の排出ユニットに対する接続部分が遮断され、貯留タンクからのパチンコ球をせき止めるので、下方の裏機構盤への球の脱落防止が効果的に図れる。また、シャッタ手段は保守点検などの終了後に排出ユニットを裏機構盤にセットすると、これに伴って流路を開く。
　【０００９】
　したがって、排出ユニットの着脱を単に容易に行うことができるばかりでなく、外す前の球抜きなども必要なくなるので、排出ユニットの保守点検などを能率良く短時間に処理することが可能となる。
　【００１０】
　【実施例】
　図１はパチンコ機１裏側の全体構成を示すもので、前面枠２の裏面には裏機構盤３が取り付けられ、裏機構盤３の右側下部に打球発射装置４の発射レバー、モータなどが配設される。５は前面枠２を開閉可能に支持する機枠で、前面枠２のフレーム内には遊技盤（図示せず）が着脱可能に取り付けられる。なお、パチンコ機１の片側には図示しない専用のカード式球貸し機が付設され、そのカードリーダにカードを挿入した状態で球貸しボタンを押すと、カードの残高度数の範囲でボタンの１回のオンにつき所定数の貸し球が後述する球排出装置２１を介してパチンコ機前面の供給皿もしくは受け皿に排出されるようになっている。
　【００１１】
　裏機構盤３は図２でも示すように球貯留タンク７からのパチンコ球を前面側の供給皿および受け皿に導く排出樋８の下流部などを備える合成樹脂の一体成型品で、その背面側に各種ユニット部品などが組み付けられる。なお、裏機構盤３の中央部には遊技盤裏面の機構部に対応する形状の窓９が開口され、裏側から窓９を開閉するカバー（図示せず）が取り付けられる。１０は遊技盤裏面の集合樋からの入賞球を払出ユニット１６を介してパチンコ機１後方の回収樋へと排出する導出樋６を備える入賞球処理部、１１は球貯留タンク７内のパチンコ球の玉不足を検出するための検出器１２などのハーネスを束ねた信号回線、１３は供給皿へのガイド壁を保護する強度部材、１４は排出樋８の下流部を覆うカバー、１５は電源の配電盤を示す。
　【００１２】
　図１において、１６は導出樋６内の入賞球を賞球の排出終了毎に１個ずつ排出させる入賞球払出ユニットで、その内部に入賞球の有無を検出する検出器ならびに払出機構が収装される。１７は入賞球検出器の球有り検出に基づく賞球の排出および球貸し機からの指令に基づく貸し球の排出を処理する排出制御回路、１８は打球発射装置４の制御回路、１９は遊技状況に対応する各種遊技音などを出力するスピーカ、２０は球貸し機側との間で信号を授受する中継盤である。
　【００１３】
　球排出装置２１は球貯留タンク７からのパチンコ球を２列に整流しながら流下させる誘導樋ユニット２２と、排出樋の上流部（並行路）を構成する排出ユニット２３および流路切換ユニット２４を備え、それぞれ裏機構盤３の所定位置にて取外し可能に組み付けられる。なお、組付け状態において誘導樋ユニット２２の下流部から排出ユニット２３および流路切換ユニット２４にかけてこれらを一体に覆うカバー（図示せず）が設けられる。２５Ａと２５Ｂはカバー取付け用の係止穴を示す。
　【００１４】
　球貯留タンク７は図３，図４のように合成樹脂で箱型に一体成型したもので、その傾斜底壁２６の最下部に開口２７が形成される。傾斜底壁２６はタンク右側から開口２７へと収束する中央の傾斜面２６Ａとその両翼を形成する傾斜面２６Ｂとからなり、中央傾斜面２６Ａの中間位置に上下方向へ揺動可能な可動壁２８が設けられる。なお、タンク７の内部にはパチンコ球の荷重を全体に平均化するため、深さが増す開口付近の一部を上げ底にする隆起部２９が形成される。
　【００１５】
　可動壁２８はタンク７の傾斜底壁２６に開口した切除口３０を塞ぐように嵌め合わせ、傾斜底壁２６に対する上端側でレバー状の突起３１にてタンク下面の取付片３２に軸３３を介して回動自由に取り付けられる。可動壁２８の下端はタンク７の外側へＬ字状に折り曲げられ、この折曲部３４の軸３３を中心とする円弧状の湾曲面に可動壁２８のタンク内側への進入を規制する小突起３５が形成される。可動壁２８を小突起３５の規制位置に付勢するのがバネ３６で、バネ３６は両端を可動壁２８とタンク７の下面にそれぞれ突き当てた状態で軸３３回りに取り付けられる。
　【００１６】
　したがって、可動壁２８はタンク７内が所定量以上のパチンコ球で満たされるとその荷重で傾斜底壁２６の一部を形成するように押し下げられ、このとき上端側のレバー状突起３１がタンク下面に係止してそれ以上の回動を規制する。この状態からタンク７内のパチンコ球が減ってくるとバネ力によって可動壁２８は次第にタンク内側へと押し上げられ、今度は下端側の小突起３５がタンク下面に係止してそれ以上の回動を規制するのである。
　【００１７】
　球貯留タンク７を裏機構盤３に取り付けるため、図５のように裏機構盤３の上部にはタンク７の前面側を受け入れる窪み状の凹部３７が形成され、凹部３７の両側にそれぞれ盤面から垂直に突出するボス部３８が上下に３個ずつ配設される。タンク７の両側には裏機構盤３のボス部３８に対する結合構造４０を持つフランジ３９が設けられる。
　【００１８】
　結合構造４０は図６，図７のように上位と下位のボス部３８Ａ，３８Ｃを抱持する略円筒型の係合部４０Ａ，４０Ｃと、中間のボス部３８Ｂに嵌合する座面部４０Ｂと、上位ボス部３８Ａの係合穴３８ａとの固定部材としてのクリップ４０ａ（フランジ後面側のつまみを押し引きすると前面側の係止部が拡縮する）と、下位ボス部３８Ｃの挿入穴３８ｃに対するピン４０ｃとからなり、中間ボス部３８Ｂと座面部４０Ｂを結合する補助固定部材としてのネジ（図示せず）を備える。
　【００１９】
　このため、タンク７は前面側を凹部３７内に納めた状態で両側の結合構造４０にて裏機構盤３に固定することができる。この場合、結合構造４０の係合部などはすべてこれらに対応するボス部３８と盤面の垂直方向に嵌合するので、タンク７内に貯留されるパチンコ球の荷重を十分に支持できる。また、タンク７を裏機構盤３の盤面に対して垂直方向から取り付けたり取り外したりできるので、これらの作業に対して盤面上のスペースを無駄に空ける必要もない。なお、タンク７内の荷重はタンク７を外す方向へ作用することがないので、クリップ４０ａの係合力で抜け止めが十分であれば、あえて補助固定部材としてのネジを使用しなくても良い。
　【００２０】
　球貯留タンク７の玉不足検出器１２は接点の開閉でオンーオフするもので、接点の作動子４１をタンク７の可動壁２８側に向けて裏機構盤３側に配置される。この場合、検出器１２はタンク内の玉不足を表示するランプ（例えばパチンコ機の前面枠上部に設けられる）とタンクにパチンコ球を補給する作動機構との制御系が別のために２個を並べて、裏機構盤３の凹部３７下方に形成した収納部４２内に取り付けられる（図５参照）。
　【００２１】
　そして、これらの検出器１２はタンク内のパチンコ球の貯留量が所定値以上で可動壁２８がレバー突起３１の規制位置に押し下げられた状態のときにオフすると共に、パチンコ球の貯留量が減って可動壁２８がバネ３６で押し上げられるとオンするようになっている。
　【００２２】
　ところで、検出器１２と可動壁２８の位置関係であるが、検出器１２の作動子４１が可動壁２８の下面と直に接触可能な場合、タンク７の取付け時などで可動壁２８が作動子４１に触れてこれを損傷する恐れがあるので、検出器１２は図８，図９のように裏機構盤３の凹部３７つまりタンク７の前面側の直下で可動壁２８と重ならない位置関係に設定される。
　【００２３】
　この場合、検出器１２の収納部４２は盤面からタンク７の凹部３７とほぼ同じ深さに窪ませて形成され、また可動壁２８の下面にはタンク７のセット状態で検出器１２の作動子４１に懸かるように延びる押圧片４３が付設される。押圧片４３の先端は上向きの傾斜部４４に形成され、これによりタンク７の取付け時などで検出器１２の作動子４１に無理な力が作用するのを防ぐようになっている。
　【００２４】
　図３，図４において、４５は前面枠２の開閉時にタンク７から後方ヘパチンコ球がこぼれるのを防止するための側壁に嵌め付ける付設部材で、その上部は多数の小片を林立したフェンス状に形成される。また、４６は誘導樋ユニット２２の平行路内に垂れ下がる玉ナラシで、タンク７下面の取付片３２に軸４７を介して回動自由に支持される。
　【００２５】
　球貯留タンク７の開口２７から落下するパチンコ球を排出樋８の上流部に導く誘導樋ユニット２２は、図１０，図１１のようにパチンコ球を２列に整流しながら緩やかに流下させる上流部５０（誘導樋）と、そのパチンコ球を垂直方向への蛇行路に案内する下流部５１（流路変換部）とからなり、上流部５０の樋内には平行路５２を画成する分流壁５３が設けられる。なお、分流壁５３は樋下流に向かって段階的に高さが増す（最終的にはパチンコ球の径以上の高さに立ち上がる）ように形成される。
　【００２６】
　下流部５１はケース状の第１と第２の流路構成部材５４、５５を基板５６を挟んで組み付けることにより作られ、その内部の基板５６両側に上流部５０の平行路５２とＵターン路５７を介して接続する垂直方向の蛇行路５８が形成される。下流部５１の内部には図１２，図１３のように各Ｕターン路５７の直前で樋の上に架設した軸５８にて上下方向へ揺動自由な可動片５９と、可動片５９の揺動から樋内のパチンコ球の玉切れ状態を検出する検出器６０が設けられる。なお、図１２は下流部５１内の一方の樋を、図１３は他方の樋をそれぞれ示す。
　【００２７】
　検出器６０としては可動片５７の進入を許容するゲート型の光センサが使用され、パチンコ球の連続により可動片５９がゲート型のセンサ６０内に押し上げられるとオフすると共に、パチンコ球の流下が途切れて可動片５９が樋内に降下するとオンするようになっている。検出器６０は共通の配線版６１（接続コネクタ６２を備える）に並べて取り付けられ、これを下流部の所定位置に組み込むため、片側の構成部材５５に取付け用の穴６３とその蓋片６４が設けられる（図１１参照）。また、可動片５９の取付位置であるが、検出器６０が可動片５９の降下によってオンするときに可動片５９の下流側（２系統の樋内）に排出待機球として貸し球の１回分の排出数以上のパチンコ球が残るように設定される。６５は上流部５０からのパチンコ球の重なりを押さえるガイド板で、下流部５１の入口付近にて軸６６を介して上下方向へ揺動自由に支持され、平行路５２上にかぶさるように幾分か反りぎみに延びる先端側にウエイト６７を備える。
　【００２８】
　蛇行路５８は基板５６を挟んで前後に隣接するのであり、互いに曲がり具合を変えて左右にオフセットした状態で開口する下端部へとつながるように形成される。各蛇行路５８の下端部には球の脱落防止用のシャッタ６８が設けられる。シャッタ６８は図１４，図１５のように一枚の平板を両蛇行路５８の平面上の位置関係に対応する段付き形状に形成したもので、下端開口部内に前後方向へ摺動（開閉）自由に支持される。シャッタ６８を閉じ位置に付勢するのがバネ６９で、後述する排出ユニット２３との接続時にその挿入壁によりバネ６９の付勢力に抗してシャッタ６８を開き位置に押し込めるように蛇行路５８間に位置してスリット状の嵌合孔７０が設けられる。なお、シャッタ６８はバネ６９と共に、片側の構成部材５４に形成した取付け用の穴から組み付けられるのであり、バネ６９は穴の蓋部材７１とシャッタ６８のバネ受け７２の間でこれら中央にピン７３ａ，７３ｂを介して支持される（図１１参照）。
　【００２９】
　そして、シャッタ６８は排出ユニット２３との分離時に蛇行路５８内を連続するパチンコ球があればこれを押し分けるように閉じ作動するが、その際パチンコ球の間ヘスムーズに挿入しやすくするため、段付き形状の先端に刃のような傾斜面が形成される。また、両蛇行路５８の下端部には排出ユニット２３を分離する際にシャッタ６８下方で排出ユニット２３との間に位置するパチンコ球が障害とならないように半円状の切欠部７４が形成される。
　【００３０】
　誘導樋ユニット２２を裏機構盤３に取り付けるため、図１６〜図１８のように上流部５０の下面中央には樋に沿ってその荷重を水平に支持するためのリブ７５が立設され、リブ７５上にクリップ７６ａおよびネジの取付穴７７ａが設けられる。また、平行路５２の上流側には裏機構盤３に面する一方の樋壁側に盤面と当接するフランジ７８が、下流側には他方の樋壁にパチンコ球の重みで樋の奥行き方向に作用する曲げモーメントを支持するためのフランジ７９がそれぞれ形成される。なお、フランジ７８上にはクリップ７６ｂおよびネジの取付穴７７ｂが、フランジ７９上にはクリップ７６ｃが設けられる。７６ｄはユニット下流部５１のクリップ、７７ｄは同じくネジの取付穴である。
　【００３１】
　裏機構盤３には誘導樋ユニット２２の取付位置にリブ７５を載置する水平の支持壁８０が突設される。また、リブ７５およびフランジ７９などとの対向面にボス部８１，８２が配設され、これらのボス部８１，８２にそれぞれクリップ７６ａ，７６ｃ，７６ｄに対する係合穴８１ａ，８１ｃ，８１ｄまたはネジに対するネジ穴８２ａ，８２ｃ，８２ｄが形成される。なお、盤面上にはフランジ７８との接触面にクリップ７６ｂとの係合穴８１ｂならびにネジ穴８２ｂが設けられる。
　【００３２】
　そして、誘導樋ユニット２２は裏機構盤３の支持壁８０上に載せてリブ７５およびフランジ７８，７９などを介してクリップ７６ａ〜７６ｄやネジで結合することにより取り付けられるのであり、この場合樋内の荷重に対して支持壁８０上のリブ７５がこれを上流側から下流側にかけて樋の中央にてバランス良くしっかりと支持するため、ユニット上流部５０を所定の傾斜角度に保持つまり経時的な傾斜角度の変化をほぼ完全に防止でき、樋の奥行き方向の傾き防止にも有効となる。また、平行路５２の上流側と下流側で裏機構盤３に面する一方の樋壁側のフランジ７８と他方の樋壁のフランジ７９にてクリップ７６ｂ，７６ｃなどにより奥行き方向の前後でも支持するようにしたので、パチンコ球の重みによる曲げモーメントに対してさらに良好な支持剛性が得られることになる。なお、クリップ７６ａ〜７６ｄは球貯留タンク７のクリップ４０ａと同一構成のものが使用され、これらの係合力で抜け止めが十分であれば、あえて補助固定手段としてのネジを使用しなくても良い。
　【００３３】
　図１１において、ユニット上流部５０の平行路５２にはそれぞれ球貯留タンク７の開口２７に臨む位置から下流側にかけて路面の補強を兼ねる導電性の金属板９０が取り付けられる。金属板９０はパチンコ球のおびる静電気などを接地するためのもので、路面とほぼ同一幅の帯状に作られ、その両側に複数の折曲片９１と片側にアース用の接続端子９２が一体形成される。そして、金属板９０は図１９のように路面両側のスリット９３に折曲片９１を差し込むと共に、樋下面側で折曲片９１を内側に折り曲げることにより固定されるのであり、その際リブ７５が曲げ加工の邪魔となるため、この例ではリブ７５の付け根に小さな開口９４を設け、この開口９４を利用して反対側から工具を挿入することで容易に曲げ加工が行えるようになっている。なお、図２０，図２１のように折曲片９１の差込み時に内側への曲げを促す傾斜状態にスリット９３を形成したり、リブ７５の両面に同じく傾斜突起９５を形成したりしても良く、これにより折曲片９１の先端側がリブ７５から離間するので、後の曲げ加工が容易となる。なお、両金属板９０の接続端子９２は互いにリブ７５側のスリットに挿入され、誘導樋ユニット２２の取付け状態でリブ７５の切欠き９６に臨ませて盤面に立設した接続用の支柱９７に重ね合わせて結合される（図１７参照）。
　【００３４】
　排出ユニット２３は図２２〜図２５のようにケース状の第１と第２の流路構成部材１００と１０１ならびにカバー部材１０２を重ね合わせることにより作られ、その内部に誘導樋ユニット２２側の蛇行路５８に接続する調整路１０３が形成される。調整路１０３は主に上流側の垂直部１０４と下流側の傾斜部１０５とからなり、傾斜部１０５の下端付近でパチンコ球の流下を規制するストッパ機構１０６（排出機構）ならびにその直ぐ上流で排出球を検出する検出器１０７が設けられる。
　【００３５】
　ここで、調整路１０３は蛇行路５８下端の平面上の位置関係にそれぞれ対応する導入部１０９から前後方向の同一位置に並んで開口する導出部１１０へと、互いに裏機構盤３に対する取付方向の左右に隣接しながら前後に流路が曲がるように形成される。
　【００３６】
　ストッパ機構１０６は傾斜部１０５内に対してそれぞれ進退可能な一対の係止部材１１１と、これらをおのおの進退させるソレノイド１１２などから構成される。係止部材１１１は先端側が鈎型状に形成され、傾斜部１０５の側方にてその基部を介して軸１１３により揺動自由に支持される。係止部材１１１の先端は揺動軌跡と一致する円弧状の球阻止面に形成され、基部の近傍（軸１１３に対してオフセットする位置）にはリンク１１４を介してソレノイド１１２がピン結合される。
　【００３７】
　傾斜部１０５の樋壁には係止部材１１１の先端側に対応するスリット１１５が形成される。なお、係止部材１１１およびスリット１１５の傾斜部１０５に対する位置関係であるが、係止部材１１１の進入状態において傾斜部１０５内に２個のパチンコ球が並ぶように設定される。
　【００３８】
　ソレノイド１１２の非通電状態では係止部材１１１が傾斜部１０５内に進入してその球阻止面によってパチンコ球の流下を規制する。この状態からソレノイド１１２に通電されると、リンク１１４を介して係止部材１１１が傾斜部１０５内から後退し、パチンコ球の流下を許容する。そして、ソレノイド１１２の通電が断たれると、リターンスプリング１１６の付勢力により係止部材１１１が初期状態に戻り、傾斜部１０５内に進入して再びパチンコ球の流下を規制するのである（図２４，図２５参照）。
　【００３９】
　排出球の検出器１０７はパチンコ球の１個ずつの通過を許容するゲート型で、係止部材１１１の進入状態において先頭に続く２番目のパチンコ球のほぼ中央を囲う位置にて傾斜部１０５内に設置され、パチンコ球の排出に伴ってオンーオフ信号を出力する。なお、検出器１０７は傾斜部１０５内でゲート型の両側がそれぞれ樋壁内側に幾分か突出するので、パチンコ球の検出器１０７へのスムーズな通過を確保するため、調整路１０３の両側樋壁には流路の中心に沿って検出器１０７の突出部と同じ高さに連なるガイド突起１２０が形成される。
　【００４０】
　ところで、調整路１０３は上流側の垂直部１０４および下流側の傾斜部１０５などによってパチンコ球の流下時の速度や間隔を適正に保つもので、とくに垂直部１０４から傾斜部１０５に至る屈曲部１２１にて垂直部１０４の底壁１２２からのパチンコ球を所定角度で傾斜壁１２３に当てることで一定の速度と間隔をもって傾斜部１０５へと落下させるようになっている。垂直部１０４の底壁１２２はパチンコ球の流下圧が大きく作用するので、耐摩耗性および緩衝性に優れる別部材の構成部品を用いて交換可能に設けられる。
　【００４１】
　なお、１３０はソレノイド１１２と検出器１０７の配電盤で、排出制御回路１７側との接続コネクタ１３１と後述する流路切換ユニット２４側との接続コネクタ１３２を備える。そして、配電盤１３０はユニット２３後面側の収納部１３４内にセットされるのであり、片側の構成部材１００に収納部１３４の蓋部材１３５が設けられる。
　【００４２】
　排出ユニット２３を裏機構盤３に取り付けるため、図２６のように裏機構盤３の窓９右側には嵌合凹部１３５が設けられる。嵌合凹部１３５は流路切換ユニット２４の取付スペースも一体に形成したもので、凹部１３５の縁には両ユニット２３，２４を上下に位置決めするためのフランジ片１３６が、また凹部１３５の片側には排出ユニット２３下部を支持する係止部１３７と、流路切換ユニット２４下部を係止する抜止め部１３８が配設される。また、排出ユニット２３の取付位置側方には凹部１３５にセットされるユニット２３背面を係止する爪１３９付きの側壁１４０が盤面上に立設される。
　【００４３】
　排出ユニット２３はセット方向の前面側が嵌合凹部１３５との段付き係合部１４１に、また下部が流路切換ユニット２４上部との段付き係合部１４２に形成され、ユニット２３上面には誘導樋ユニット２２との接続に際して下流部５１のスリット状の嵌合孔７０に進入してシャッタ６８を押し開く挿入壁１４３が突設される。
　【００４４】
　そして、排出ユニット２３は裏機構盤３の後方から前面側の段付き係合部１４１を嵌合凹部１３５にセットすると共に、背面側から側壁１４０の爪１３９で係止することによって取り付けられる。この場合、ユニット２３は調整路１０３を裏機構盤３に対して左右に隣接しながら前後に流路が曲がるように形成することで奥行き寸法（側面幅）は大きくなるが、裏機構盤３に面する横幅は左右の調整路１０３分の流路幅とほぼ同じ寸法で縦方向にストレートに収まるし、またストッパ機構１０６についてもこれを流路の前後位置つまり盤面上で調整路１０３と重なる位置関係に配設できるのであり、したがって樋側方への迫り出しが完全になくなるため、設置スペースの大幅な縮小が可能となる。
　【００４５】
　ところで、排出制御回路１７（図１参照）であるが、玉切れ検出器６０のオフを条件に入賞球払出ユニット１６内の検出器の球有り検出時に賞球の排出を、また球貸し機からの排出要求に対して貸し球の排出を制御するもので、賞球の排出時には球排出機構１０６のソレノイド１１２を駆動すると共に検出器１０７からの信号をもとに排出数をカウントし、これが所定の賞球数に達するとソレノイド１１２の駆動を停止する。また、この賞球の排出終了時に払出ユニット１６内の検出器からの信号に基づいて入賞球を１個排出するように払出機構を制御する。
　【００４６】
　貸し球の排出時には同じく要求数に応じて球排出機構１０６のソレノイド１１２の駆動を制御すると共に、この排出終了時に球貸し機にカード残高度数の減算処理などを指令する排出終了信号を出力するのである。
　【００４７】
　なお、排出制御回路１７は球排出機構１０６のソレノイド１１２に対して排出要求数の多少に応じて片側の係止部材のみからの交互排出と両側の係止部材からの同時排出の制御を選択的に行うようになっている。
　【００４８】
　流路切換ユニット２４は図２７〜図３１のように側面部材１５０，１５１と基板１５２，１５３を一組みずつ並べて重ね合わすことにより構成され、これらの側面部材１５０，１５１と基板１５２，１５３の間におのおの排出ユニット２３の調整路１０３に接続する２系統の分流路１５４が形成される。なお、一方の分流路１５４は側面部材１５１の基板１５３との対向面に一体成型した樋壁により、他方の分流路１５４は基板１５２の側面部材１５０との対向面に一体成型した樋壁によりそれぞれ作られる。
　【００４９】
　各分流路１５４は上流側の垂直部１５５と下流側の蛇行部１５６ならびに分岐部１５７とからなり、分岐部１５７の入口に開閉扉１５８が配設される。各開閉扉１５８は下端基部で２枚の基板１５２，１５３を貫通する軸１５９の両側にて回動自由に支持され、同じく基板１５２，１５３のガイド孔１６０を貫通するロッド１６１で互いに連結される。軸１５９の中間にはレバー部材１６２がくの字状の中央部にて回動自由に取り付けられ、その一端は長孔１６３を介して開閉扉１５８間の連結ロッド１６１に係合され、他端は流路切換え用のソレノイド１６４にリンク１６５を介してピン結合される。
　【００５０】
　つまり、両側の開閉扉１５８は１個のソレノイド１６４により一体的に駆動され、閉じ状態（ソレノイド１６４の非通電時）で図３１（Ａ）のように分岐部１５７を遮断する一方、開き時（ソレノイド１６４の通電状態）には図３１（Ｂ）のように分岐部１５７を垂直部１５５に接続すると共に蛇行部１５６側を遮断する。なお、開閉扉１５８を閉じ位置と開き位置で係止する凹状のシート部１６６が垂直部１５５両側の樋壁にそれぞれ形成される。１６７はソレノイド１６４のリターンスプリングを示す。
　【００５１】
　そして、流路切換ユニット２４は前面側が裏機構盤３の嵌合凹部１３５との段付き係合部１６８に形成され、排出ユニット２３と同じく裏機構盤３の後方から段付き係合部１６８を嵌合凹部１３５にセットすると共に抜止め部１３８で係止することによって取り付けられのであり、この状態で蛇行部１５６は裏機構盤３側の排出樋８に接続される（図２６参照）。また、流路切換ユニット２４の上部には排出ユニット２３下部の段付き係合部１４２を受け入れる接続凹部１６９が左右の側面部材１５０と１５１間に形成される。
　【００５２】
　係合部１６８の内側にはそれぞれ側面部材１５０，１５１と基板１５２，１５３の間で分岐部１５７から下方へ延びる断面コの字型の溝１７０が設けられ、嵌合凹部１３５内に分岐部１５７を裏機構盤３の前面側に一体成型した球抜き樋（図示せず）へとつなげる連絡路を形成するようになっている。なお、嵌合凹部１３５の下端には連絡路を球抜き樋に開口する穴（図示せず）が設けられる。
　【００５３】
　ところで、垂直部１５５の底壁１７１は排出ユニット２３側から落下するパチンコ球が勢いよく当たるので、耐摩耗性および緩衝性に優れる別部材の構成部品を用いて交換可能に取り付けられる。この構成部品１７１は蛇行部１５６のガイド壁を形成するデルタ形状部１７２と、分岐部１５７入口の下壁を構成するブロック形状部１７３とからなり、各分流路１５４毎に１個ずつそれぞれデルタ形状部１７２およびブロック形状部１７３に嵌合する係合突起１７４Ａ，１７４Ｂを介して基板１５２，１５３と側面部材１５０，１５１の間に固定される。構成部品１７１は開閉扉１５８との位置関係からブロック形状部１７３の上面に扉１５８の基部を囲うような円弧状の凹部１７５が、またデルタ形状部１７２とブロック形状部１７３の間に後述する針金など異物の侵入防止ゲート１７６を取り付けるための切欠部１７７が形成される。１７８はブロック形状部１７３に形成した緩衝用の空隙である。
　【００５４】
　蛇行部１５６はパチンコ球の流下速度を適度に減衰させるもので、またパチンコ機１前面側の供給皿または受け皿から針金などを侵入させて排出ユニット２３のストッパ機構１０６を開こうとする不正行為に対する防止機能も備えるが、この場合さらに完全な不正防止を図るため、蛇行部１５６の下流側の屈曲部分を上方から遮断する異物の侵入防止ゲート１７６が設けられる。この防止ゲート１７６は構成部品１７１の切欠部１７７内に位置する一端で軸１７９を介して回動自由に支持され、自重によって垂れ下がる閉じ位置から切欠部１７７内の範囲で下流側への回動、つまりパチンコ球の流下方向にのみ樋を開くようになっている。なお、防止ゲート１７６の閉じ位置から上流側への回動は切欠部１７７の内面と樋壁の係止段部１８０により規制される。
　【００５５】
　また、蛇行部１５６の上流側の屈曲部分にはカーブ外壁の上部にて接線方向に深く窪む溝１８１が形成され、下流側からの侵入する針金などに対してその先端を溝１８１で捉えて上流側への侵入をくい止めるようになっている。
　【００５６】
　なお、排出ユニット２３ならびに流路切換ユニット２４はそれぞれソレノイド１１１，１１２および１６４を内蔵するので、これらの設置部に放熱孔１９０が形成される（図２２，図２８参照）。また、流路切換ユニット２４には保守点検時などで蛇行部１５６に溜まる埃を除去するための掃除孔１９１が設けられる。
　【００５７】
　ところで、流路切換ユニット２４の分流路１５４は裏機構盤３に対する前後方向に分岐され、裏機構盤３の球抜き樋につながる連絡路を構成する溝１７０が蛇行路１５６に重なるように形成することで、奥行き方向のスペースの有効利用が図れ、分岐部１５７の開閉扉１５８を駆動するソレノイド１６４も流路の前後位置に配置できるのであり、また蛇行路１５６を裏機構盤３に対して左右に隣接しながら前後に流路が曲がるように形成したので、排出ユニット２３の場合と同じく盤面上での設置スペースの大幅な縮小が可能となる。
　【００５８】
　裏機構盤３側の排出樋は図３２のように流路切換ユニット２４下流側の左右に並ぶ蛇行部１５６に開口する合流路１８２に形成され、合流路１８２の上流側にパチンコ機１前面の供給皿につながる導出口１８３が設けられる。合流路１８２の下流側は緩やかな傾斜部１８４を介して同じく受け皿に接続される。
　【００５９】
　導出口１８３へのガイド壁には強度部材１３によりパチンコ球を受け入れる皿状の導入部１８５が設けられ、導入部１８５の斜め上方から蛇行部１５６との開口部１８６直下へと延びる球受け１８７が樋壁に一体形成される。
　【００６０】
　したがって、流路切換ユニット２４からのパチンコ球は球受け１８７に沿って導入部１８５に落下し、まず導出口１８３から供給皿へと排出されるのであり、供給皿がパチンコ球で一杯になると導入部１８５からこぼれ落ちて傾斜部１８４を介して受け皿へと排出されるようになっている。
　【００６１】
　裏機構盤３には前面側の凹部空間を利用して嵌合凹部１３５の下端に接続する球抜き樋が形成され、流路切換ユニット２４の分岐部１５７からのパチンコ球を遊技盤のアウト球ならびに払出ユニット１６からの入賞球と同じくパチンコ機１後方の回収樋へと排出する。
　【００６２】
　なお、パチンコ機１の裏機構全体の排出動作であるが、球貯留タンク７からのパチンコ球は誘導樋ユニット２２から排出ユニット２３へと導かれ、通常状態において樋内に進入する係止部材１１１により流下が規制される。
　【００６３】
　そして、遊技盤の入賞口に遊技球が入賞すると、入賞球はすべて遊技盤裏側の集合樋に入り、その下方の払出ユニット１６に導かれ、いったん流下が阻止される。入賞球検出器が球有り検出により賞球の排出要求が発生すると、排出ユニット２３のソレノイド１１２が駆動され係止部材１１１を所定の作動時間だけ開き状態に変換する。
　【００６４】
　これにより、パチンコ球は排出ユニット２３から流路切換ユニット２４の蛇行部１５６および排出樋８の下流部を通してパチンコ機１前面の供給皿もしくは受け皿へと排出されるのであり、排出球検出器１０７にて検出されるパチンコ球のカウント値が要求数にも達すると、ソレノイド１１２の停止により係止部材１１１が閉じ状態に戻される。
　【００６５】
　その場合、係止部材１１１は調整路１０３によりこれを流下するパチンコ球の速度と間隔が適正に保たれるので、閉じ作動（樋内への進入）もパチンコ球を噛んだりすることがなく容易に行え、したがって排出エラーの発生は極めて少なくなる。
　【００６６】
　賞球の排出が完了すると、払出機構の作動により１個の入賞球が排出されるのであり、検出器が次の入賞球により球有りを検出すると、再び賞球の排出要求が発生することになる。
　【００６７】
　また、球貸し機に基づく貸し球の排出要求の発生時には排出ユニット２３のソレノイド１１２がその要求数に応じて前記と同様に制御され、係止部材１１１を介して貸し球を排出させる。なお、貸し球はパチンコ機１前面の球貸しボタンを押すことで、カードの残高度数の範囲で繰り返し排出可能となる。
　【００６８】
　そして、球貯留タンク７内のパチンコ球は賞球および貸し球の排出に伴って次第に減ってくるが、玉不足検出器１２が可動壁２８の揺動によってオンすると、一定量のパチンコ球がタンク７内に補給されるのである。
　【００６９】
　【発明の効果】
　以上の通りこの発明によれば、裏機構盤上方側に設けた貯留タンクからのパチンコ球を整流しながら流下させる下り傾斜の誘導樋と、裏機構盤に着脱可能に設けられ、貯留タンク側から供給されるパチンコ球を遊技者側へ所定数排出する排出ユニットと、誘導樋の流路に連設され、この流路を略垂直方向へと向けながら排出ユニットの流路に接続する流路変換部材と、流路変換部材の排出ユニットに対する接続部分に位置して排出ユニットの着脱に応じて流路を開閉するシャッタ手段とを備えたパチンコ機において、
前記流路変換部材の下端部には、排出ユニットを分離する際にパチンコ球が障害とならないように半円状の切欠部が形成され、
　【００７０】
　また、シャッタ手段は排出ユニットの着脱に応じて開閉するので、ユニットを外せば必ず流路を閉じるため、パチンコ球の脱落飛散に対する確実な防止機能が得られる。
　さらに、シャッタ手段を構成する平板部材はパチンコ球の流路を横断する平面上で排出ユニットの取付方向（すなわち水平方向）へ摺動するものであるので、排出ユニットの着脱においては、排出ユニットを裏機構盤に向けて水平に移動させればシャッタ手段を開閉することができ、排出ユニットの着脱作業は容易である。
【図面の簡単な説明】
　【図１】
　パチンコ機裏面の全体構成図である。
　【図２】
　裏機構盤の分解斜視図である。
　【図３】
　球貯留タンクの斜視図である。
　【図４】
　球貯留タンクの分解斜視図である。
　【図５】
　球貯留タンクの取付説明図である。
　【図６】
　タンク結合部分の斜視図である。
　【図７】
　タンク結合部分の断面図である。
　【図８】
　タンク可動壁と玉不足検出器の位置関係を示す説明図である。
　【図９】
　タンク可動壁と玉不足検出器の位置関係を示す説明図である。
　【図１０】
　誘導樋ユニットの斜視図である。
　【図１１】
　誘導樋ユニットの分解斜視図である。
　【図１２】
　誘導樋ユニット下流部の一方の樋形状図である。
　【図１３】
　誘導樋ユニット下流部の他方の樋形状図である。
　【図１４】
　誘導樋ユニット下流部の一部斜視図である。
　【図１５】
　誘導樋ユニット下流部のシャッタの作動説明図である。
　【図１６】
　誘導樋ユニットの取付説明図である。
　【図１７】
　誘導樋ユニット取付状態の一部斜視図である。
　【図１８】
　誘導樋ユニット取付状態の側面図である。
　【図１９】
　導電性金属板の取付状態の一例を示す説明図である。
　【図２０】
　導電性金属板の取付状態の一例を示す説明図である。
　【図２１】
　導電性金属板の取付状態の一例を示す説明図である。
　【図２２】
　排出ユニットの斜視図である。
　【図２３】
　排出ユニットの分解斜視図である。
　【図２４】
　排出ユニットの一方の樋形状図である。
　【図２５】
　排出ユニットの他方の樋形状図である。
　【図２６】
　排出ユニットならびに流路切換ユニットの取付説明図である。
　【図２７】
　流路切換ユニットの後面側の斜視図である。
　【図２８】
　流路切換ユニットの前面側の斜視図である。
　【図２９】
　流路切換ユニットの一方の樋形状部の分解斜視図である。
　【図３０】
　流路切換ユニットの他方の樋形状部の分解斜視図である。
　【図３１】
　開閉扉の作動説明図である。
　【図３２】
　排出樋下流部の樋形状図である。
　【符号の説明】
　３　裏機構盤
　７　球貯留タンク
　８　排出樋
　２２　誘導樋ユニット
　２３　排出ユニット
　２４　流路切換ユニット
　５０　誘導樋の上流部
　５１　誘導樋の下流部
　６８　シャッタ
　６９　バネ
　７０　スリット状の嵌合孔
　１０６　ストッパ機構
　１４３　挿入壁